(57)【要約】【課題】簡単な回路構成でチャタリングによるサージの発生を良好に抑制できると共に、サージ抑制動作による電圧降下が小さくなるようにする。【解決手段】スイッチ１２にてＩ・Ｉチューブ駆動部１３へ電源を投入する電源回路において、上記スイッチ１２のオン信号を遅延するために、抵抗１４及びコンデンサ１５からなる遅延回路１６を設けると共に、この遅延回路１６の後段に、フォトモスリレー１８を設ける。これにより、入力電圧がチャタリング動作より遅れて立ち上り、チャタリングによるサージの発生が抑制される。【選択図】図１
2006236583.tif 000002
【特許請求の範囲】
【請求項１】
スイッチにて駆動部への電源投入をオン、オフする電源回路において、
上記スイッチのオン時に電源からの入力電力を遅延する遅延回路と、
この遅延回路の出力を入力し上記駆動部へ供給する光駆動スイッチ素子とを設け、
上記スイッチのオン時のチャタリングで発生するサージを抑制することを特徴とする電源回路。
【請求項２】
上記光駆動スイッチ素子として、フォトモスリレーを用いたことを特徴とする請求項１記載の電源回路。
【請求項３】
イメージ・インテンシファイア・チューブの電源回路として用いたことを特徴とする請求項１又は２記載の電源回路。
【発明の詳細な説明】
【技術分野】
【０００１】
本発明は電源回路、特にイメージ・インテンシファイア・チューブ等に用いられ、電源投入時のチャタリングによる異常電流、異常電圧の発生を防止する回路の構成に関する。
【背景技術】
【０００２】
図３には、例えば暗視野装置等の各種装置に利用されるイメージ・インテンシファイア・チューブ（Ｉｍａｇｅ Ｉｎｔｅｎｓｉｆｉｅｒ Ｔｕｂｅ）に用いられる電源回路で発生するチャタリングが示されており、これは電源スイッチのオンにより例えば３．２Ｖの電圧を与えるようにした場合の例である。図３に示されるように、電源スイッチがオンすると、チャタリングによるサージＣが約１０ｍｓ（ミリ秒）発生した後に、約３．２Ｖの電圧が供給される。
【０００３】
そして、上記イメージ・インテンシファイア・チューブ等では、電源回路から供給される上記の電圧を必要な高電圧まで昇圧し、この昇圧した高電圧によってイメージ増幅作用が行われる。
【特許文献１】特開平０５-７４２５９号公報
【発明の開示】
【発明が解決しようとする課題】
【０００４】
しかしながら、イメージ・インテンシファイア・チューブ等のように高電圧を使用する装置では、上記チャタリングによるサージＣも増幅されることにより装置に大きな影響を与え、装置の破損、寿命の低下につながるという問題がある。
【０００５】
従来では、このようなチャタリングを防止するために、コンデンサを用いた図４の回路、ソフトスタート回路を用いた図５の回路が用いられている。図４は、電源１の電力を電源用のスイッチ２によって、イメージ・インテンシファイア・チューブ等のような負荷３に与える場合に、上記スイッチ２に並列にコンデンサ４を接続したものである。しかし、この図４の構成では、小さなサージを取ることはできても、図３のような大きなサージＣを完全に取ることができず、十分な除去効果を得ることができないという問題がある。
【０００６】
図５は、電源用のスイッチ２と負荷３との間に、トランジスタ５、抵抗６及びコンデンサ７からなるソフトスタート回路を挿入するもので、この場合は、図６に示されるように、スイッチ２のオン時から入力電圧がゆっくり上昇し、チャタリングによるサージの発生は殆ど解消される。しかし、図５の回路では、ソフトスタート回路内のトランジスタ５で電圧降下が生じ、この影響により負荷３に供給される電圧が低下するという問題がある。
【０００７】
即ち、図５の電源１の電圧として３．３Ｖを与えた場合、トランジスタ５で１．２Ｖ（コレクタ‐ベース間、ベース‐エミッタ間で０．６Ｖずつ）の電圧が低下し、図６のように、２．１Ｖの電圧になってしまう。このような電圧降下は、特に電池電源を利用する場合に、負荷であるイメージ・インテンシファイア・チューブ等の動作に大きな影響を与え、好ましくない。
【０００８】
また、上記特開平０５-７４２５９号公報に示されるチャタリング防止回路では、スイッチのオンからオフに変移する経過時間を監視し、この変移時に発生する異常成分をマスクして除去する電源電圧監視用半導体回路を設けており、この例のように、従来ではチャタリングの時間や状態を検出しその時間や状態を除去する手法も用いられる。しかし、この場合は、検出や除去の動作を実行する回路（ロジック回路）等が必要となり、回路構成が複雑で高価なものになるという不都合がある。
【０００９】
本発明は上記問題点に鑑みてなされたものであり、その目的は、簡単な回路構成でチャタリングによるサージの発生を良好に抑制できると共に、サージ抑制動作による電圧降下を小さくすることが可能となる電源回路を提供することにある。
【課題を解決するための手段】
【００１０】
上記目的を達成するために、請求項１の発明は、スイッチにて駆動部への電源投入をオン、オフする電源回路において、上記スイッチのオン時に電源からの入力電力（電圧又は電流）を遅延する遅延回路と、この遅延回路の出力を入力し上記駆動部へ供給する光駆動スイッチ素子（半導体素子）とを設け、上記スイッチのオン時のチャタリングで発生するサージを抑制することを特徴とする。
上記光駆動スイッチ素子として、動作時の電圧降下が小さく、チャタリングのないフォトモスリレー（光駆動リレー素子）、光サイリスタ、フォトカプラ等を用いることができ、本発明の装置は、イメージ・インテンシファイア・チューブの電源回路に適用することができる。
【００１１】
上記の構成によれば、スイッチのオン時の入力電力が遅延回路によって遅延され、かつ光駆動スイッチ素子を通ることにより、入力電力がチャタリング動作より遅れて立ち上り、チャタリングによるサージの発生が抑制される。また、フォトモスリレー等の光駆動スイッチ素子を用いるので、電圧降下が１０ｍＶ程度となり極めて小さくなる。
【発明の効果】
【００１２】
本発明の電源回路によれば、簡単な回路構成でチャタリングによるサージの発生を良好に抑制することができ、また従来のソフトスタート回路と比べると、サージ抑制動作による電圧降下が小さくなり、電池電源を用いる場合でも良好な電源電圧を供給できるという利点がある。
【発明を実施するための最良の形態】
【００１３】
図１には、実施例に係るイメージ・インテンシファイア・チューブ（Ｉ・Ｉチューブ）に適用した電源回路の構成が示されており、図示されるように、実施例では、電源（電池電源等）１１の例えば３．３Ｖの電圧が電源用の（機械的）スイッチ１２によってＩ・Ｉチューブ駆動部１３へ与えられる。そして、上記スイッチ１２の後段に、抵抗１４（例えば２２０Ω）とコンデンサ１５（例えば４７μＦ）からなる遅延回路１６が設けられ、この遅延回路１６にフォトモス（ＭＯＳ）リレー１８が接続され、このフォトモスリレー１８に上記Ｉ・Ｉチューブ駆動部１３が接続される。
【００１４】
上記フォトモスリレー１８は、例えば赤外ＬＥＤとフォトダイオードアレイを有するＭＯＳＦＥＴ（電界効果トランジスタ）で構成されており、電圧降下が小さいと共に、チャタリングがなく、ノイズも発生せず、入出力の絶縁にも優れているものである。
【００１５】
このような実施例の電源回路によれば、スイッチ１２がオンされると、電源１１から供給される入力電力が遅延回路１６によって遅延され、かつフォトモスリレー１８を通過することにより、電源１１からの入力電力がチャタリング動作より遅れて立ち上ることになる。
【００１６】
図２には、電源投入時の電圧の推移が示されており、スイッチ１２をオンしたときのチャタリングにより発生したスパイクＳの後に、電圧が約３．３Ｖまで良好に立ち上がることになる。従って、サージのない良好な電源電圧がＩ・Ｉチューブ１３に投入され、Ｉ・Ｉチューブ駆動部１３に対するチャタリングの影響をなくすことができる。なお、小さなスパイクＳが発生しているが、このスパイクＳによる影響は無視できる範囲のものである。
【００１７】
また、上記フォトモスリレー１８を用いた場合の電圧降下は、１０ｍＶ程度であり、従来におけるトランジスタを有するソフトスタート回路を用いた場合と比較すると、極めて小さくなり、電池駆動する場合のＩ・Ｉチューブ１３の駆動も良好かつ効率よく行うことができる。
【００１８】
上記実施例では、フォトモスリレー１８を用いたが、この代わりに、光サイリスタ等の他の光駆動スイッチ素子を用いることもできる。
【図面の簡単な説明】
【００１９】
【図１】本発明の実施例に係るＩ・Ｉチューブ用の電源回路の構成を示す図である。
【図２】実施例回路での電源投入時の電圧の変化を示す波形図である。
【図３】従来の回路での電源投入時の電圧の変化を示す波形図である。
【図４】従来の電源回路でチャタリングの影響を防止するための回路の一例を示す図である。
【図５】従来の電源回路でチャタリングの影響を防止するための回路の他の例を示す図である。
【図６】図５の回路での電源投入時の電圧の変化を示す波形図である。
【符号の説明】
【００２０】
１，１１…電源、            ２，１２…スイッチ（電源用）、
３…負荷、                  ４，７，１５…コンデンサ、
１３…Ｉ・Ｉチューブ駆動部、６，１４…抵抗、
１６…遅延回路、            １８…フォトモスリレー。
【図１】
2006236583.tif 000003
【図２】
2006236583.tif 000004
【図３】
2006236583.tif 000005
【図４】
2006236583.tif 000006
【図５】
2006236583.tif 000007
【図６】
2006236583.tif 000008